(57)【要約】【課題】既存の回転ドア閉鎖部分の手前にスライドドア構造を授け、危険なエリアに対する人などの進入を防止するとともに、そのスライドドア構造と回転ドアに人などが挟まれてもスライドドア構造をスライドさせながら回転ドアを安全に停止することにより、回転ドアにより発生する事故を防止することを特徴とする回転ドアを提供する。【解決手段】外枠と支柱と回転ドア扉で構成される回転ドアにおいて、回転ドア閉鎖部分の手前にある危険エリア内に、回転方向側の外枠及び支柱に対してスライド可能なスライドドア構造体を設け、そのスライドドア構造体と回転ドアにものが挟まった場合、スライドドア構造体に予め取付けたセンサの移動検出機構によりスライドドア体の移動を検出し、回転ドア扉の停止動作を開始し、回転ドア扉をスライドドア構造体の最大開放位置に至る前に停止させることを特徴とする回転ドア。 【選択図】    図１
2005290895.tif 000002
【特許請求の範囲】
【請求項１】
外枠と支柱と回転ドア扉で構成される回転ドアにおいて、回転ドア閉鎖部分の手前にある危険エリア内に、回転方向側の外枠及び支柱に対してスライド可能なスライドドア構造体を設け、そのスライドドア構造体と回転ドアにものが挟まった場合、スライドドア構造体に予め取付けたセンサの移動検出機構によりスライドドア体の移動を検出し、回転ドア扉の停止動作を開始し、回転ドア扉をスライドドア構造体の最大開放位置に至る前に停止させることを特徴とする回転ドア。
【請求項２】
回転ドア扉先端部分を弾性体で形状維持し、回転ドア扉と支柱間にものが挟まった場合、予め取付けたセンサにより回転ドア扉の先端部の変形を検出し、回転ドア扉の先端部の変形が最大位置に至る前に回転ドア扉を停止させることを特徴とする回転ドア。
【請求項３】
回転ドア閉鎖部分の手前にある危険エリア内以外のエリアにおいて、スライドドア構造体のスライド機構を固定し、若しくは、回転ドア扉先端部分を弾性体で形状維持したまま変形させず、回転ドア扉を回転させ続けることを特徴とする請求項１および項２に記載された回転ドア回転ドア。
【発明の詳細な説明】
【技術分野】
【０００１】
本発明は、従来の回転ドアが所有する気密性・デザイン性などのメリットを生かしながら、死亡・人身事故が多発している回転ドアに対して、安全構造を授けることで回転ドアの危険性を排除し、回転ドアが持つ本来の有効性を生かしながら広く世の中に提供するものである。
【背景技術】
【０００２】
現在の世の中においては、非常に多くの回転ドアが利用されているが、そのドアは固定された回転ドア外枠の支柱で入り口を定め、そこに回転ドアが移動し、人が出入りする構造であるため、赤外線センサなどにより危険防止を図っているが、閉鎖直前の走り込みなどの突発的な行動に対応することができず、事故が多発しており、回転ドアに対して根本的な安全対策が求められた。現在、様々な回転ドアが提供されており、非常に多くの人々に利用されている。
利用者は幼児から老人まで幅が広く、特に幼児・小児は安全意識が低いために、国内に限らず海外でも死亡にいたる事故が発生している状況にある。
既存の回転ドアは、固定された柱により出入り口を定め、その柱の間をドアが回転しながら移動する構造のため、回転ドアが移動し閉鎖側にある柱（以下、閉鎖側柱とする。）と回転ドアの間に、人、ものなどが挟まれる事故が発生し易い構造のものである。
【０００３】
既存の回転ドアにおいては、閉鎖側柱近辺には赤外線センサなどを設置し、人などが閉鎖側柱に近づくと危険を検出し、回転ドアを停止し得る構造を確保しているが、センサ検出エリアの設定が難しく、完全な安全確保に至らず次の問題発生がある。
１．センサ範囲が広すぎると、危険でないのに回転ドアが停止してしまう。
回転ドアが頻繁に止まると、ドアとして利用し難くなる。
２．センサ検出範囲が狭すぎると、危険が検出できず、事故が発生してしまう。
３．危険範囲・危険度を、利用者が意識し難いため、危険な利用をしてしまう。
閉鎖直前の、駆け込み利用。
閉鎖直前に、手・足・荷物などを急に差込み、回転ドアを止めて利用としてしまう。（回転ドアは急に止まらないため、挟んだものが、破損してしまう。）
閉鎖直前になっても、ドアの境目にいてドアに挟まれてしまう。
【０００４】
そこで、既存回転ドア閉鎖側柱の直前にテープなどの障害物を設置し、そこに人などが来ない様にして、センサ範囲を狭くする様な試みがなされたが、幼児・小児はこの様な障害物も潜り抜けてしまい、センサ検出範囲を狭くしたことが、回転ドアの危険性を高くしてしまい、結果的には死亡などに繋がる事故が多発する理由になってしまい、広く世の中から安全対策が求められた。
【発明の開示】
【発明が解決しようとする課題】
【０００５】
本発明は、安全対策として費用がかからず、既存施設への改修工事・新築工事として、従来の回転ドアメリットを生かしながら、従来の回転ドアにおける危険性をなくす手段を広く世の中に提供する技術を開発しようとするものであり、回転ドアに対して新たな付加価値および産業効果を与えようとするものである。
【課題を解決するための手段】
【０００６】
本発明は、従来の回転ドアのメリットを生かしながら、回転ドアの危険性を排除することを可能にしたものであり、回転ドア閉鎖部分の手前にある危険エリア内に、回転方向側の外枠及び支柱に対してスライド可能なスライドドア構造体を設けるか若しくは、回転ドア扉先端部分を弾性体で形状維持させる構造とすることにより、課題を解決してた。すなわち、本発明は、外枠と支柱と回転ドア扉で構成される回転ドアにおいて、回転ドア閉鎖部分の手前にある危険エリア内に、回転方向側の外枠及び支柱に対してスライド可能なスライドドア構造体を設け、そのスライドドア構造体と回転ドアにものが挟まった場合、スライドドア構造体に予め取付けたセンサの移動検出機構によりスライドドア体の移動を検出し、回転ドア扉の停止動作を開始し、回転ドア扉をスライドドア構造体の最大開放位置に至る前に停止させることを特徴とする回転ドアである。
第二に本発明は、回転ドア扉先端部分を弾性体で形状維持し、回転ドア扉と支柱間にものが挟まった場合、予め取付けたセンサにより回転ドア扉の先端部の変形を検出し、回転ドア扉の先端部の変形が最大位置に至る前に回転ドア扉を停止させることを特徴とする回転ドアである。
さらに、第三に本願発明は、回転ドア閉鎖部分の手前にある危険エリア内以外のエリアにおいて、スライドドア構造体のスライド機構を固定し、若しくは、回転ドア扉先端部分を弾性体で形状維持したまま変形させず、回転ドア扉を回転させ続けることを特徴とする回転ドア回転ドアとすることができる。
このように構成することにより、子供が回転ドアに侵入してから、スライドドア構造体を押したり、回転ドア扉先端部分を故意に変形させた場合やサンサが過剰に働いたりした場合、回転ドア内に子供が閉じ込められないようにできる。
【発明の効果】
【０００７】
本発明は、従来の回転ドアのメリットを生かしながら、回転ドアの危険性を排除することを可能にしたものであり、回転ドア閉鎖部分の手前にある危険エリア内に、回転方向側の外枠及び支柱に対してスライド可能なスライドドア構造体を設けるか若しくは、回転ドア扉先端部分を弾性体で形状維持させる構造とすることにより、どのような形態の回転ドアにも適用することができ、回転ドアの安全対策上実用的でしかも有効である。
【発明を実施するための最良の形態】
【０００８】
本発明に於いて、回転ドアの構造は、閉鎖側支柱には、回転方向側の外枠及び支柱に対してスライド可能なスライドドア構造体を設ける。スライドドア構造体は、どのような形をしていても良いが、代表的にはレール構造を挙げることができる。
閉鎖側柱を、常時はスプリングなどの弱い力で保持されているスライド可能なドア構造体としておき、回転ドアとスライドドアとの間に人などが挟まれそのまま回転ドアが回転したとしても、回転ドアとスライドドアに挟まれた時点には挟まれた人などに致命的なダメージを与えず、スライドドアに予め取り付けたセンサでスライドドアが変位したことを検出することにより、回転ドア扉の回転の停止動作を開始し、回転ドア扉をスライドドア構造体の最大開放位置に至る前に停止させることで、回転ドア利用の安全を確保する。
回転ドアにスライドドアを設置した一例を、図１に示す。
【０００９】
回転ドアの外枠１に支柱２を２本設置し、その支柱２にスライドドア用レール３を固定した。
スライドレール３にはスライドドア固定用金具１２を設置し、固定用金具１２はスプリングで１方向に留まる様にするとともに、マイクロスイッチで固定位置以外になったときには、電気信号が検出できる様に設定した。
スライドレール・スライドドア固定金具１６周辺の構造は、周知の構造のものを利用することができ、図示しない。
スライドドア構造体は、スライドレール１３にあるスライド金具１２に固定され、自由にスライドできる様にしする。
尚、スライドドア構造体の出入口部分は、出入りに際してぶつからない様に、支柱に順ずる部材を取付けて利用者の注意を促した。
ここに至っても、利用者が回転ドアの中に入り、内側から寄りかかるなどして回転ドアの外枠と回転ドア扉に挟まれる可能性があったため、スライドドア構造体を回転ドア外枠の内側まで折返すことで、回転ドア扉の外枠端に対してスライドドアが完全に覆う構造をなして、その可能性を完全に回避することができる。
【００１０】
本発明の回転ドア構造は、回転ドアの外側から中に入るとき、および、回転ドアの中に入り回転ドア扉が閉鎖する時の双方に有効である。
この構造は、既存に設置された回転ドアに対して、追加設置し得ることも可能であり、新築工事であれば、当初からデザインなども考慮され、設置し得ることは言うまでもない。
回転ドアにスライドドア構造体を設置したことにより、次の様な安全性が確保され、回転ドアの有効利用の可能性を高めることができた。
１．スライドドア構造体という物理的な障害により、危険区域に対する人などの侵入を防止できる。
２．スライドドア構造体に接触し、スライドドアを移動することにより、回転ドアを停止することができる。
３．スライドドア構造体と回転ドア扉の間に人などが挟まれても、スライドドア構造体が極僅かな力でスライドし得るため、スライドドア構造体に挟まれた人などに致命的な障害を与えることがない。
尚、スライドドア構造体の復元力は、元位置を維持することが最低条件であるが、その力は数１０Kｇ〜数１００Kｇなどと強くする必然性はないものである。
４．スライドドア構造体がスライドし得る範囲で回転ドアを停止すればよいため、回転ドア内にいる利用者にも危険がない様に、回転ドアを停止することができる。
【００１１】
また、本発明においては、安全に回転ドア扉を停止させる必然性から、出入口部分の幅が２５ｃｍから３０ｃｍほど狭くなるため、大型回転ドアには有効であったが、出入口を狭くできない中型および小型回転ドアに対しては、追加設置することが困難であった場合、既存回転ドアの先端部分などに加工を施すことで、回転ドアと支柱間に人などが挟まれた場合でも、加工部分が変形して、挟んだものに対して致命的な応力を与えない手段を発想し、回転ドア扉先端部分を弾性体で形状維持する構成とすることができる。
【００１２】
すなわち、スライドドア構造体と同じ構造を移動する回転ドア端部に設置したところ、スライドドア構造体と同じ安全機能を確保することができ、内部および外部から回転ドアの動作を阻害しても、回転ドアの動作を安全に停止することができるとともに、回転ドア外枠出入口部分の開口幅が既存施設の幅と変化しないメリットが得られることが解った。
スライド構造を回転ドアに対してT構造に配置して設置する例を、図２に示す。
本方式は構造部分の幅が広いために、分割数が多い回転ドアには不適切であるが、回転ドアの規模にもよるが２分割から３分割程度の構造のものに有効である。
スライド構造体を回転ドアに対してL構造に配置して設置した例を図３に示す。
本方式は、T構造の幅を少なくするために改善したものであり、回転ドアの規模にもよるが３分割から４分割程度の構造のものに有効である。
尚、スライド構造体が変化したことを検出する手段例として、スライド構造変位によりカム構造で光反射板などを移動し、回転ドア外枠に固定された反射光センサなどで反射光を検出するなどの方法があるが、この手段は様々な方法が利用できるため、特定するものではない。
また、回転軸部分に電気接点などを設けて、スライド構造体などの変位でＯＦＦになるスイッチを用意して置き、そのスイッチのＯＦＦ検出で異常検出として、回転ドア扉を止められる事などは言うまでもない。
更に、既存施設に対する加工コストおよび設置条件を緩和しながら、安全性を確保する手段が求めら、回転ドアの壁部分を変位させる発想が得られた。
その構造例を、図４に示す。
回転ドア先端部分の仕切り部分は、兆番構造で接続され自由に曲がる構造となっており、表裏をスプリングで引くことで、常時は回転ドアの仕切り部分が曲がらない様に、バランスが取っている。
この様な状態にしたことで、常時は基本形状を維持しており、支柱と回転ドアの間に人などが挟まると変形し、支柱と回転ドア扉の間に挟まれても容易に引き抜くことができる様になった。
【００１３】
スライドドア構造体およびスライド構造のスライド機能が有効な期間は常時でもよいが、間違ってスライドドア構造体およびスライド構造体に接触して、スライド部分をスライドさせて回転ドア扉を停止させないためには、安全確保を行う必要のない期間はスライド機構をロックしておき、安全確保が必要な期間はスライド機構のロックを解除して、回転ドアの安全を確保することが有効であることがわかった。
このロックは、回転ドアの位置により機構的なもので行ってもよく、電気的なもので行ってもよく、その構造は種々の周知のものを利用することができるため図は省略する。
【産業上の利用可能性】
【００１４】
本発明の回転ドアは、従来の回転ドアをそのまま生かしながら、回転ドアの危険性を排除することを可能にしたものであり、回転ドア閉鎖部分の手前にある危険エリア内に、回転方向側の外枠及び支柱に対してスライド可能なスライドドア構造体を設けるか若しくは、回転ドア扉先端部分を弾性体で形状維持させる構造とすることにより、どのような形態の回転ドアにも適用することができ、回転ドアの安全対策上実用的でしかも有効である。本発明により、今まで安全でなく避けられていた回転ドアの利用も、安全な施設として有効に利用可能なものとなり、ビルにおける省エネ・ビル風防止などを目的にした回転ドアを有効利用し得るものとなり、産業上非常に有効なものである。
【図面の簡単な説明】
【００１５】
【図１】本発明の回転ドア構成例を示す図である。
【図２】本発明におけるＴ構造のスライド機構を組込んだ回転ドアの一例である。
【図３】本発明におけるＬ構造のスライド機構を組込んだ回転ドアの一例である。
【図４】本発明における回転ドア部分変形構造を組込んだ回転ドアの一例である。
【符号の説明】
【００１６】
１．     
回転ドア外枠
２．     
支柱
３．     
スライドドア用レール
４．     
スライドドア構造体
１１．回転ドア扉
１２．スライド機構固定用金具
１３．スライド機構レール構造
１４．スライド機構スライド部分
１５、スライド機構変位検出用反射板
１６．スライド機構固定金具
１７、スプリング
２１．回転ドア回転軸
２２、兆番
【図１】
2005290895.tif 000003
【図２】
2005290895.tif 000004
【図３】
2005290895.tif 000005
【図４】
2005290895.tif 000006